(57)【要約】【課題】  定期健康診断や人間ドックなどでの健診もれを防止すること。【解決手段】  所定の複数の健診項目について健診を受ける受診者をサポートするための健診システムであって、健診情報を管理する健診サーバー２０およびデーターベース３０と、各検査部門や会計部門などに設置される端末装置５０ａ〜５０ｌ、７２とをネットワーク１００を介して接続して、前記健診情報を相互に送受信可能とし、健診サーバーは、受診者の受診状況を確認するための受診状況確認テーブル３３により、受診者が受診していない健診項目を発見したときに、検査部門や会計部門などの端末装置に警告メッセージを表示させるようにした。  これにより、多数項目の健診を受ける受診者にとって、健診もれを確実に防止することができ、医師による総合的な健康診断上の判断ミスをも防止できる。【選択図】      図１
2010205176.tif 000002
【特許請求の範囲】
【請求項１】
所定の複数の健診項目について健診を受ける受診者をサポートするための健診システムであって、
健診情報を管理する健診サーバーおよびデーターベースと、各検査部門および／または会計部門に設置される端末装置とをネットワークを介して接続して、前記健診情報を相互に送受信可能とし、
前記健診サーバーは、受診者の受診状況を確認するための受診状況確認手段と、この受診状況確認手段により受診者が受診していない健診項目を発見したときに警告を発生する警告発生手段と
を具備することを特徴とする健診システム。
【請求項２】
前記受診状況確認手段は、予め設定した健診項目毎の許容すべき所要時間または複数健診項目の組み合わせによる所要時間について、確認するものであることを特徴とする請求項１に記載の健診システム。
【請求項３】
前記警告発生手段による警告は、検査部門または会計部門に設置される端末装置に表示することを特徴とする請求項１または請求項２のいずれか１項に記載の健診システム。
【請求項４】
前記警告発生手段による警告は、健診順序に従い当該受診者が受診した最新の検査部門の次の検査部門の端末装置を選択して表示することを特徴とする請求項３に記載の健診システム。
【発明の詳細な説明】
【技術分野】
【０００１】
本発明は、定期健康診断や人間ドックなどを受診する受診者に対して、種々ある健診項目について所望の健診項目を確実に受診できるようにサポートし、受診もれの発生を防止するようにした健診システムに関する。
【背景技術】
【０００２】
定期健康診断や人間ドックなどを受診する場合、通常健診時間が午前または午後の数時間に設定されており、その時間内に多くの受診者が集まるため大変混雑することになる。また、例えば身長・体重などの身体計測や血圧測定などは短時間で終了するが、胃部Ｘ線撮影や超音波検査などでは、１回当たりの検査に相当の時間がかかり、更に個人差もあるため、受診者の流れが滞ることになる。そのため、待ち時間が長くなり受診者をいらいらさせたり、無駄な時間を浪費させたりすることになっていた。
【０００３】
このような問題を解決するために、受診者順位表示システムが提案されている（例えば、特許文献１参照。）。この受診者順位表示システムは、受診者情報と診断などの予約内容を登録しておくことにより、診断が開始されると進行状況に応じて、受診者の順番や待ち時間などを待合室のモニタに表示するようにしたものである。
【先行技術文献】
【特許文献】
【０００４】
【特許文献１】特開平８−１０６４９８号公報
【発明の概要】
【発明が解決しようとする課題】
【０００５】
ところで、特許文献１に記載されている受診者順位表示システムを導入することによって、各受診者は自分の待ち時間の把握が容易となり、無駄な時間を過ごすことも軽減されるようになったが、待ち時間内にさらに他の健診項目の健診を受けようとして、受診者が勝手に動き回ってしまい、順番が来たときにその受診者がその場に居ないために、検査全体の時間を遅延させたり、受診者が受診すべき健診項目の受診を忘れて帰宅してしまい受診もれが生じたりするなど、新たな問題が生ずるようになった。
【０００６】
そこで本発明は、受診者が種々ある健診項目について所望の健診項目の検査を確実に受診したことを確認できるようにして、受診もれの発生を防止するように受診者をサポートするための健診システムを提供することを目的としてなされたものである。
【課題を解決するための手段】
【０００７】
上述の課題を解決するため、請求項１に記載の発明は、所定の複数の健診項目について健診を受ける受診者をサポートするための健診システムであって、健診情報を管理する健診サーバーおよびデーターベースと、各検査部門および／または会計部門に設置される端末装置とをネットワークを介して接続して、前記健診情報を相互に送受信可能とし、前記健診サーバーは、受診者の受診状況を確認するための受診状況確認手段と、この受診状況確認手段により受診者が受診していない健診項目を発見したときに警告を発生する警告発生手段とを具備することを特徴とする。
【０００８】
また、請求項２に記載の発明は、請求項１に記載の健診システムにおいて、前記受診状況確認手段は、予め設定した健診項目毎の許容すべき所要時間または複数健診項目の組み合わせによる所要時間について、確認するものであることを特徴とする。
【０００９】
また、請求項３に記載の発明は、請求項１または請求項２のいずれか１項に記載の健診システムにおいて、前記警告発生手段による警告は、検査部門または会計部門に設置される端末装置に表示することを特徴とする。
【００１０】
また、請求項４に記載の発明は、請求項３に記載の健診システムにおいて、前記警告発生手段による警告は、健診順序に従い当該受診者が受診した最新の検査部門の次の検査部門の端末装置を選択して表示することを特徴とする。
【発明の効果】
【００１１】
上記課題を解決するための手段の項に示した本発明によれば、定期健康診断や人間ドックなどで多数項目の健診を受ける受診者に対して、所定の健診を受けずに次の健診を受けようとしたときに、前の健診が済んでいないことを警告してくれるので、健診もれを確実に防止することができ、受診者が漏れた項目について健診を受けるために再度健診施設を訪れる無駄も排除することができる。また、健診もれをなくすことによって、医師による総合的な健康診断上の判断ミスをも防止できる。
【図面の簡単な説明】
【００１２】
【図１】本発明に係る健診システムの一実施例の概要を示した系統図である。
【図２】健診サーバーの構成を説明するために示した説明図である。
【図３】データーベースに格納される各種テーブルを示した説明図である。
【図４】受診者情報テーブルの内容の一例を示した説明図である。
【図５】健診コース管理テーブルの一例を示した説明図である。
【図６】受診状況確認テーブルの内容の一例を示した説明図である。
【図７】項目別判定テーブルの内容の一例を示した説明図である。
【図８】警告メッセージテーブルの内容の一例を示した説明図である。
【図９】本発明に係る健診システムの動作手順を説明するために示したフローチャートである。
【発明を実施するための形態】
【００１３】
以下、本発明に係る健診システムの一実施例について、図１ないし図９を参照して詳細に説明する。
【００１４】
図１は、本発明に係る健診システムの一実施例の概要を示した系統図である。この健診システムは、健康診断を実施する健診施設において、受診者の受付をするとともに健診の進行状況などを総合的に管理するための総合受付１０に設置される管理用端末装置１１と、コンピューターやワークステーションなどからなり、健診システムの主制御機能を果たす健診サーバー２０と、健診システムに関連する各種情報を格納するデーターベース３０と、健診項目に沿って各種検査を実行する検査部門に設置される検査部門端末装置５０などを含み、これらが相互に情報を送受信できるように健診システムネットワーク１００を介して接続されている。
【００１５】
検査部門としては、例えば尿検査を実施する検尿部門、検査用血液を採取する採血部門、身長・体重などを測定する身体計測部門、血圧を測定する血圧計測部門、視力を検査する視力計測部門、聴力を検査する聴力計測部門、肺活量を計測する肺活量計測部門、心電図を取得する心電図検査部門、超音波検査を実施する超音波検査部門、胸部のＸ線撮影を実施する胸部Ｘ線撮影部門、胃部のＸ線撮影を実施する胃部Ｘ線撮影部門、医師との面接をする問診部門などがあり、各検査部門にそれぞれ検尿部門端末装置５０ａ、採血部門端末装置５０ｂ、身体計測部門端末装置５０ｃ、血圧計測部門端末装置５０ｄ、視力計測部門端末装置５０ｅ、聴力計測部門端末装置５０ｆ、肺活量計測部門端末装置５０ｇ、心電図検査部門端末装置５０ｈ、超音波検査部門端末装置５０ｉ、胸部Ｘ線撮影部門端末装置５０ｊ、胃部Ｘ線撮影部門端末装置５０ｋ、問診部門端末装置５０ｌが設置されている
また、健診システムネットワーク１００に、会計システム７０が接続されている。この会計システム７０は、健診施設における会計処理を行うためのシステムであるが、健診システムの受診者情報など一部の情報を共用するため健診システムネットワーク１００に接続されており、コンピューターやワークステーションなどからなる会計サーバー７１および会計用端末装置７２を備えている。
【００１６】
次に、健診システムの健診サーバー２０の構成について図２を参照して説明する。健診サーバー２０は、例えばコンピューターやワークステーションであり、図２はその概略構成を示したものである。
【００１７】
すなわち健診サーバー２０は、中央演算処理装置（ＣＰＵ）を有する制御部２１と、健診システムネットワーク１００に接続するためのモデムやＬＡＮボードなどからなる通信部２２と、ＲＯＭ、ＲＡＭ、ＨＤＤなどを有する記憶部２３と、キーボードやマウス或いはバーコードリーダなどを有する入力部２４と、液晶表示装置などの表示部２５と、ＣＤ−ＲＯＭなど各種メディアの読み出し・書き込みを行うメディア入出力部２６と、レーザープリンタなどの印刷部２７などで構成されており、各構成部は互いにバス接続されている。なお、健診サーバー２０の制御部２１は、健診システムを運用するための実行プログラムや各種データを、記憶部２３のＲＯＭやＨＤＤ或いはデーターベース３０などからＲＡＭにロードして所定の処理を実行する。
【００１８】
また、総合受付１０に設置される管理用端末装置１１や検査部門のそれぞれに設置されている端末装置５０ａ〜５０ｌも、健診サーバー２０と同様な構成のものであって良く、通常は制御部、通信部、記憶部、入力部、表示部などを有するパソコンが使用される。さらに、健診サーバー２０の印刷部２７は、必ずしも健診サーバー２０本体と一体的に構成されたものである必要はなく、別に設置されるレーザープリンタやインクジェットプリンタなどを健診サーバー２０に接続して使用するようなものであっても良いことは言うまでもない。
【００１９】
次に、健診システムのデーターベース３０に格納される各種のテーブルについて図３ないし図８を参照して説明する。
【００２０】
図３は、データーベース３０に格納されるテーブルを示したものであり、受診者に関する固有の情報を格納した受診者情報テーブル３１、健診施設側で予め設定している標準的な健診コースを示す健診コース管理テーブル３２、受診者毎に登録した健診項目について、各受診者の現在の受診状況を確認できるようにした受診状況確認テーブル３３、検査もれや検査遅れなどの判断材料とするために、検査部門毎に標準的な所要時間を設定した項目別判定テーブル３４、検査もれを起こしている虞のある受診者へそのことを知らせる種々の警告メッセージを格納した警告メッセージテーブル３５、受診者の検査結果を登録する検査結果登録テーブル３６などが格納されている。なお、データーベース３０には、これらのテーブルの他に各種の実行プログラムを格納しておいてもよい。
【００２１】
ここで受診者情報テーブル３１の内容は、図４に示すようなものであり、受診者ＩＤ３１１、受診者名３１２、性別３１３、生年月日３１４、住所３１５、受診日３１６、受診する健診コース３１７の項目が設けられている。従って、受診者が健診施設の総合受付１０で健診の申し込みをすることにより、受付スタッフが管理用端末装置１１を操作して、受診者の氏名、性別、生年月日、住所と受診者が希望した健診コースを入力し、それを受診者情報テーブル３１に登録することによって、受診者ＩＤが発行されレコードが１つ追加される。なお図４には、便宜的に３名の受診者の情報が表示されている。
【００２２】
さて、健診コース３１７の項目欄にはコースの内容を示す記号が記入されるようになっており、その内容の一例を健診コース管理テーブル３２として図５に示してある。
【００２３】
すなわち健診コースは、健診施設側で予め標準的な健診コースとして幾つかのコースを設定している。例えば健診コースＡは、全ての健診項目を受診する場合であり、健診コースＢは、全ての健診項目の内胃部Ｘ線撮影のみを受診しない場合であり、健診コースＣは、全ての健診項目の内超音波検査と胸部Ｘ線撮影および胃部Ｘ線撮影を受診しない場合のように定義している。
【００２４】
図６は、受診状況確認テーブル３３の内容の一例を示し、これは受診者毎に申し込みをした健診項目について、各受診者の現在の受診状況を確認できるようにしたものである。図６に示すように受診状況確認テーブル３３の内容は、受診者ＩＤ３３１、受診者名３３２、性別３３３、健診コース３３４の項目については、受診者情報テーブル３１の内容と同じであり、健診システムの所定の実行プログラムによって自動的に受診者情報テーブル３１の内容が受診状況確認テーブル３３の所定項目欄にコピーされている。
【００２５】
そして、健診項目としての検尿３３５ａ、採血３３５ｂ、身体計測３３５ｃ、血圧計測３３５ｄ、視力計測３３５ｅ、聴力計測３３５ｆ、肺活量計測３３５ｇ、心電図検査３３５ｈ、超音波検査３３５ｉ、胸部Ｘ線撮影３３５ｊ、胃部Ｘ線撮影３３５ｋ、問診３３５ｌの各項目は、夫々の検査部門すなわち、検尿部門、採血部門、身体計測部門、血圧計測部門、視力計測部門、聴力計測部門、肺活量計測部門、心電図検査部門、超音波検査部門、胸部Ｘ線撮影部門、胃部Ｘ線撮影部門、問診部門に対応して設けられている。
【００２６】
これらの健診項目欄には、受診者が健診の申し込みをしたときに希望した健診コース（Ａ、Ｂ、Ｃ・・・など）に応じて、所定の実行プログラムが対応する項目欄にフラグ「１」または「０」が立てられる。すなわち、健診コースＡを希望した受診者ＩＤ１００１の伊藤一郎さんの健診項目欄には、全てフラグ「０」が立てられる。健診コースＣを希望した受診者ＩＤ１０１５の佐藤次郎さんの健診項目欄には、超音波検査３３５ｉ、胸部Ｘ線撮影３３５ｊ、胃部Ｘ線撮影３３５ｋの欄にはフラグ「１」を立て、その他検尿３３５ａ、採血３３５ｂ、身体計測３３５ｃ、血圧計測３３５ｄ、視力計測３３５ｅ、聴力計測３３５ｆ、肺活量計測３３５ｇ、心電図検査３３５ｈ、問診３３５ｌの欄にフラグ「０」が立てられることになる。このフラグ「１」は、健診が終わったか受診を希望していないことを表し、フラグ「０」は、未だ健診が終わっていないことを表している。
【００２７】
図７は、項目別判定テーブル３４の内容の一例を示したものである。これは夫々の健診項目について、本発明において受診もれを防止するためのチェック用として許容すべき標準的な所要時間あるいは待ち時間を示したものである。
【００２８】
すなわち、受診者は定められた順序に従って各検査部門で健診を受けることになるので、ある検査部門での健診を終えてから次の検査部門での健診を受けるまでの時間を設定してあり、例えば、受診者が総合受付１０で受付を済ませてから検査衣などに着替えて最初の検尿部門で検査を受けるまでの時間を、通常１０分程度で済む場合でもチェック用の標準時間として３０分に設定し、検尿部門で検査を済ませてから次の採血部門で検査を受けるまでの時間も同様に３０分に設定し、以下同様に各健診部門で予想される混雑状況などを勘案して時間を設定している。なお、このチェック用の標準時間はあまり短く設定すると、頻繁に未受診の警告を発するようなエラーを生ずる原因ともなるので、受診のし忘れを確実に判断できるようにするため、図７に示すように各健診項目共かなり余裕をもった時間に設定してある。
【００２９】
図８は、警告メッセージテーブル３５の内容の一例を示したものである。この警告メッセージは、受診者が所定の検査部門での健診を受けていないことを、健診システム側で検知したときに、その後当該受診者が立ち寄ると予想される検査部門または最終的に立ち寄る会計部門などへ、健診を受けていない検査部門があることを通知するためのものである。従って、検査部門毎に、「○○○さんは、検尿部門での健診が終わっていません」、「○○○さんは、採血部門での健診が終わっていません」のような警告メッセージが用意されている。また、複数部門の健診を受けていないようなことも予想されるので、複数部門を組み合わせた「○○○さんは、心電図検査部門と超音波検査部門の健診が終わっていません」のようなメッセージも用意されている。
【００３０】
次に、本発明に係る健診システムの動作手順について、図９に示したフローチャートを参照しながら説明する。
【００３１】
健診施設を訪れた受診者は、先ず総合受付１０で受付をする（ステップ１）。受付をしたスタッフは、管理用端末装置１１のキーボードなどの入力部を操作して、受診者の氏名、性別、生年月日、住所と受診者が希望した健診コースを入力し、登録操作をする。この操作によって、それらの情報が健診システムネットワーク１００を介してデーターベース３０へ送られ、受診者情報テーブル３１に登録される（ステップ２）。
【００３２】
なお、総合受付１０で受付を済ませた受診者には、受診者ＩＤがバーコードなどで示された受診票（図示せず）が手渡され（ステップ３）、受診者は、この受診票を持って定められた順番に検査部門へ行って健診を受けることになる。なお、この受診票には受診する健診項目が表示されているとともに健診結果なども記入できるようになっている。
【００３３】
受診者情報テーブル３１に新規の受診者情報が登録されると、健診サーバー２０の制御部２１は、受診状況確認テーブル３３に受診者ＩＤ３３１、受診者名３３２、性別３３３、健診コース３３４などの書誌的事項をコピーするとともに、健診コース３３４の内容を健診コース管理テーブル３２に基づき展開して、所定の健診項目欄３５５ａ〜３５５ｌの受診する項目欄には「０」を、受診しない項目欄には「１」のフラグを立てる（ステップ４）。このようにして受診状況確認テーブル３３が完成すると健診サーバー２０の制御部２１は、所定の実行プログラムに従って項目別判定テーブル３４を参照しながら、受診者毎に所定の健診項目が所定の時間（チェック用標準時間）内に受診されているかどうかの確認作業を開始することになる（ステップ５）。
【００３４】
総合受付１０で受付を済ませた受診者は、検査衣などに着替えてから先ず検尿部門で尿を採取して尿検査を受けることになる。すなわち、受診者が検尿部門で採尿したことを告知すれば、検尿部門の担当スタッフは検尿部門端末装置５０ａを操作して、受診者ＩＤとともに検尿部門での検査の受付または検査結果を入力する。この操作は健診システムネットワーク１００を介して健診サーバー２０へ伝達され、制御部２１は実行プログラムによって、受診状況確認テーブル３３の当該受診者の検尿欄３５５ａのフラグを「０」から「１」に変更させる。すなわち、当該受診者について、検尿部門での健診が終了したことが登録される。なお、担当スタッフが検尿部門端末装置５０ａから検査結果を入力した場合、そのデータはデーターベース３０の検査結果登録テーブル３６に登録される。
【００３５】
このような動作は、採血部門、身体計測部門・・・など他の検査部門でも同様である。また、検尿部門、身体計測部門、血圧計測部門など尿検査の結果、身長・体重の値、最高血圧・最低血圧の値などが即座に判明する検査部門では、その結果をそれぞれ検尿部門端末装置５０ａ、身体計測部門端末装置５０ｃ、血圧計測部門端末装置５０ｄから入力することによって確実に検査が終了したことを保証することができる。しかし、採血部門、心電図検査部門など多くの部門では、検査の結果は後日でなければ判明しないので、このような検査部門では、所定量の採血をしたこと、或いは所定の心電図を取得したという事実を、それぞれの端末装置から入力することによって、検査の受付または終了として処理することになる。
【００３６】
なお、端末装置にバーコードリーダが接続されていれば、このバーコードリーダで受診票のバーコードを読み取ることによって当該検査部門での受診者の受付または終了の入力操作が完了する。
【００３７】
さて、受診者が順次検査部門を巡って健診を受けている間、ステップ５として健診サーバー２０は、受診状況確認テーブル３３と項目判定テーブル３４に基づき、各受診者の受診状況を確認している。例えば、検尿部門を終えた受診者は次に採血部門へ行くことになるので、健診サーバー２０の制御部２１は、受診状況確認テーブル３３の検尿欄３５５ａのフラグが「１」になった受診者について、３０分後に採血欄３３５ｂのフラグをチェックする（ステップ６）。
【００３８】
ここで、採血欄３３５ｂのフラグが「１」であれば、採血部門での健診が予定どおり進んでいると判断される（ＹＥＳ）ので、ステップ１１へ飛んで、受診者が申し込んだ健診コースについて、全ての健診項目についての健診が終了しているかどうか、すなわち、受診状況確認テーブル３３の健診欄のフラグが全て「１」になっているか否かをチェックする。もしどこかの健診欄に「０」のフラグが立っていれば、まだ健診を継続していると判断して（ＮＯ）、ステップ５へ戻って受診状況の確認作業を継続する。そして、全ての健診欄のフラグが「１」になっていれば、全ての健診項目についての健診が終了していると判断して（ＹＥＳ）、健診サーバー２０による当該受診者に対する受診状況確認作業は終了となる。
【００３９】
ステップ６へ戻って、もしもステップ６での確認時に、採血欄３３５ｂのフラグが「０」であれば、当該受診者は採血部門５０ｂでの健診が済んでないと判断される（ＮＯ）ので、このときはステップ７へ進んで、当該受診者が最新に受診した検査部門が何処であるかを、受診状況確認テーブル３３から探す動作を実行する。例えば最新に立ったフラグ「１」の検査部門を探し、それが例えば血圧計測欄３３５ｄであったとすれば、次に受診者が訪れる検査部門は視力計測部門となるので、健診サーバー２０の制御部２１は、警告メッセージを表示する端末装置として視力計測部門端末装置５０ｅを選択する（ステップ８）。
【００４０】
そして健診サーバー２０の制御部２１は、図８に示すデーターベース３０の警告メッセージテーブル３５に格納されている警告メッセージの中から、状況に応じたメッセージを選択して決定し（ステップ９）、当該受診者名にリンクさせて「○○○さんは、採血部門での健診が終わっていません」という警告メッセージを、当該端末装置で当該受診者の受付をしたとき（すなわち、視力計測部門端末装置５０ｅに受診者ＩＤを入力したとき）に、視力計測部門端末装置５０ｅの表示部に表示させる（ステップ１０）。なお、検査部門端末装置５０が印刷部を有しているかプリンタに接続されている場合には、その警告メッセージをプリントアウトして当該受診者へ手渡すようにすることもできる。
【００４１】
このような警告メッセージが視力計測部門５０ｅに表示されることによって、視力計測部門の担当スタッフは当該受診者に採血部門での健診が終わっていないことを伝え、当該受診者は視力計測部門での健診を受けた後採血部門へ戻ってそこでの健診を受けることになる。このようにして健診もれを確実に防止することができる。
【００４２】
その後ステップ１１へ進み、受診者が申し込んだ健診コースについて、全ての健診項目についての健診が終了しているかどうか、すなわち、受診状況確認テーブル３３の健診欄のフラグが全て「１」になっているか否かをチェックする。もしどこかの健診欄に「０」のフラグが立っていれば、まだ健診を継続していると判断して（ＮＯ）、ステップ５へ戻って受診状況の確認作業を継続する。そして、全ての健診欄のフラグが「１」になっていれば、全ての健診項目についての健診が終了していると判断して（ＹＥＳ）、健診サーバー２０による当該受診者に対する受診状況確認作業は終了となる。
【００４３】
なお、本発明は上述の実施例に限定されることなく、要旨の範囲内で種々の態様での実施が可能である。
【００４４】
例えば、項目別判定テーブル３４には、検査部門毎に許容すべき標準的な所要時間あるいは待ち時間を設定してあると説明した。しかし、健診施設での当日の受診者数や希望する受診コースの状況によっては、特定検査部門での待ち時間が長くなることが予想される。このような場合、検査部門毎の時間設定では、順番待ちのために特定検査部門での待ち時間が長くなっていることを、健診システム側が受診もれと判断して警告メッセージを発してしまうことも予想される。そこで、複数検査部門を束ねて時間設定をするようにしても良い。例えば、項目別判定テーブル３４に、胸部Ｘ線撮影と胃部Ｘ線撮影を組み合わせて所要時間を例えば９０分に設定した項を追加しておき、所定の実行プログラムでこの項も参照しながら、健診サーバー２０の制御部２１が確認作業を実施するようにすれば、上記のような不都合を防止することができる。
【００４５】
また、上述の実施例では、或る１つの検査部門で健診を受けていないことを健診システム側で検知したときに、受診者が次に立ち寄るであろう検査部門を探して、その部門の検査部門端末装置５０に警告メッセージを発するものとして説明したが、受診者は最終的に会計に立ち寄って、費用の支払いを済ませてから健診施設を後にすることになる。よって、会計処理をするために会計担当オペレータが、会計用端末装置７２に受診者ＩＤを入力したときに、受診もれのある受診者については、警告メッセージを会計用端末装置７２の表示部に表示したり印刷部からプリントアウトしたりするようにしても良い。このようにすれば、受診者がまだ健診施設内に居る間に、最終的により確実に受診もれのあることを知らせることができる。一旦健診施設を離れた受診者に健診もれのあることを通知しても、再度健診施設を訪れて漏れた健診項目だけについて健診を受けてもらうことは非常に困難であり、折角の健康診断を無駄にしないためにも、本発明に係る健診システムは極めて有用である。
【００４６】
このように本発明は、定期健康診断や人間ドックなどで多数項目の健診を受ける受診者に対して、所定の健診を受けずに次の健診を受けようとしたときに、前の健診項目を受けていないことを警告したり、受診もれの健診項目のあることを警告したりするようにしたものである。よって、健診もれを確実に防止することができ、漏れた項目について健診を受けるために受診者が再度健診施設を訪れる無駄も排除することができる。また健診もれをなくすることによって、医師による総合的な健康診断上の判断ミスをも防止できる。
【符号の説明】
【００４７】
１０  総合受付
１１  管理用端末装置
２０  健診サーバー
３０  データーベース
５０  検査部門端末装置
５０ａ  検尿部門端末装置
５０ｂ  採血部門端末装置
５０ｃ  身体計測部門端末装置
５０ｄ  血圧計測部門端末装置
５０ｅ  視力計測部門端末装置
５０ｆ  聴力計測部門端末装置
５０ｇ  肺活量計測部門端末装置
５０ｈ  心電図検査部門端末装置
５０ｉ  超音波検査部門端末装置
５０ｊ  胸部Ｘ線撮影部門端末装置
５０ｋ  胃部Ｘ線撮影部門端末装置
５０ｌ  問診部門端末装置
７０  会計システム
７１  会計サーバー
７２  会計用端末装置
１００  健診システムネットワーク
【図１】
2010205176.tif 000003
【図２】
2010205176.tif 000004
【図３】
2010205176.tif 000005
【図４】
2010205176.tif 000006
【図５】
2010205176.tif 000007
【図６】
2010205176.tif 000008
【図７】
2010205176.tif 000009
【図８】
2010205176.tif 000010
【図９】
2010205176.tif 000011